(57)【要約】【課題】高エネルギー加速器で、陽子のラブに引き付けられているクオークと見做されている輪の状態はどのようであるか。電子のラブに引き付けられているクオークと見做される輪の状態はどのようであるか。この事から、中性子が高エネルギー加速器で衝突した場合、どのような輪ができるか。クオークのエネルギーから、地表に於いて、その輪はどのようであるか。【解決手段】陽子の外側の輪のエネルギーを0.1362MeVとしてこのa倍のエネルギーの場合、1輪の束数はa4です。引力４です。中性子が高エネルギー加速器で衝突した場合、中性子の電子のラブと陽子のラブは、エネルギーは3×108倍に成り、1束の電磁気の数と1輪の電磁気の数は変わらない。1輪の束数は変わらない。同様に、高エネルギー加速器でできた輪の状態から、地表における、陽子のラブに引き付けられている電磁気の輪の状態を推測する。電子のラブに引き付けられている電磁気の輪の状態を推測する。【選択図】図１
2017005856.tif 000002
【特許請求の範囲】
【請求項１】
輪の中の電磁気の束数を求める方法。(この事は2015年1月19日に提出した、特願2015−007894と、2015年2月3日に提出した、特願2015−018905に記した)
・陽子の中の高エネルギーの電磁気の引力2＝陽子の中の電磁気のエネルギー2÷陽子の中の電磁気の軌道2＝陽子の中の電磁気のエネルギー2÷(6.724×10−45Jm÷陽子の中の電磁気のエネルギー)2＝陽子の中の電磁気のエネルギー4÷(6.724×10−45Jm)2
・陽子の中の高エネルギーの軌道における束数＝陽子の中の高エネルギーの電磁気の引力2÷陽子の外側の核磁子の電磁気の引力2＝陽子の中の電磁気のエネルギー4÷(6.724×10−45Jm)2÷(2.025×10−18J/m)2＝陽子の中の電磁気のエネルギー4×5.394×10123J＝陽子の中の電磁気のエネルギー4÷(1÷5.394×10−123J)＝陽子の中の電磁気のエネルギー4÷(1.854×10−124J)＝｛陽子の中の電磁気のエネルギー÷(1.167×10−31J)｝4
但し、地表の陽子の外側の電磁気のエネルギーは1.167×10−31Jで、電磁気の軌道は5.764×10−14mです。
陽子の外側の核磁子の電磁気の引力2＝(1.167×10−31J)2÷(5.764×10−14m)2＝(2.025×10−18J/m)2
・陽子の中の高エネルギーの軌道における束数＝｛陽子の中の電磁気のエネルギー÷(1.167×10−31J)｝4
・陽子の中の高エネルギーの軌道における束数1/4＝陽子の中の電磁気のエネルギー÷(1.167×10−31J)  この式は何を意味するか。
1．(1.167×10−31J)は地表の引力です。それで、束数は地表のエネルギーの何倍のエネルギーであるかに由る。
2．束数は引力により引き付けられている。
3．地表の引力(1.167×10−31J)により、1束引き付けられている。これは核磁子です。  
4．陽子の中の高エネルギーの軌道における束数＝｛陽子の中の電磁気のエネルギー÷(1.167×10−31J)｝4
5．陽子の中の高エネルギーの軌道における束数は引力4です。
6．束数は引力4です。
・高エネルギーに成った核磁子のエネルギーは1.362×10−1MeVですから、
束数＝｛輪のMeV÷(1.362×10−1MeV)｝4＝a4、です。
まとめ
陽子の中の輪の束数＝A4×5.394×10123＝｛A÷(1.167×10-31J)｝4＝｛輪のMeV÷(1.362×10-1MeV)｝4＝a4
電子の中の輪の束数＝A4×5.428×10123（束）＝｛A÷（1.165×10-31）｝4＝｛輪のMeV÷(7.895×10-1MeV)｝4=a4
A=輪の電磁気のエネルギー＝地表の電磁気のネルギー×a
電子の中の輪の束数も陽子の中の輪の束数も地表のエネルギーの何倍のエネルギーであるかに由る。
a倍であると、輪の束数はa4倍である。
まとめて表に示す。
陽子の中の輪の束数の求め方。
表20
2017005856.tif 000023
電子の中の輪の束数の求め方。
表21
2017005856.tif 000024
【請求項２】
陽子の中の輪が3つの場合、陽子の中の輪の束数を(1.2×102)2束とする。この場合、aはいくらで、輪のエネルギーはいくらか。
束数は引力により集められていて、エネルギーの倍数をaとすると、a4です。それで、輪が3つの場合、陽子の中の輪の束数を(1.2×102)2束とする。a4=(1.2×102)2。a=10.954。
陽子の外側の軌道の輪のエネルギーは、(1.2×102)2束×5.0508×10−27J×3×108×6.2415×1018eV=1.362×105eV=0.1362MeV、です。この10.954倍の輪は、0.1362MeV×10.954＝1.492MeV、です。
【請求項３】
陽子の中の1.492MeVのクオークと見做される輪はどのようになっているか。
電磁気1個のエネルギー＝1.164×10−31J×10.954×3×108＝3.825×10−22J。
電磁気の軌道＝陽子の中の電気の光子の軌道エネルギー÷ 電磁気1個のエネルギー＝6.724×10−45Jm ÷(3.825×10−22J)＝1.758×10−23m。
1.492MeVの輪の電磁気数＝1.492MeV÷電磁気1個のエネルギー＝1.492MeV×1.602×10−13J÷(3.825×10−22J)＝6.249×108個
輪の中の束数＝a4＝10.9544＝1.440×104束。
1束の電磁気数＝1輪の電磁気数÷輪の中の束数＝6.250×108個÷(1.440×104束)＝4.340×104個。
1束のエネルギー＝電磁気1個のエネルギー×1束の電磁気数＝3.825×10−22J×4.340×104個＝1.660×10−17J。
輪のエネルギー＝輪の中の束数×1束のエネルギー＝1.440×104束×1.660×10−17J＝2.390×10−13J=1.492MeV。
同様に、1.7MeVの場合と、3.1 MeVの場合について計算する。
高エネルギー加速器における、陽子の中の1.492MeVのクオークと見做される輪の状態。
表22
2017005856.tif 000025
1.7MeVの場合。
陽子の中の1.7MeVのクオークと見做される輪はどのようになっているか。
陽子の外側の軌道の輪のエネルギーは、(1.2×102)2束×5.0508×10−27J×3×108×6.2415×1018eV=1.362×105eV=0.1362MeV、です。
1.7MeVの輪はこの何倍のエネルギーか。
a=1.7MeV÷0.1362MeV=12.48、倍のエネルギーです。
電磁気1個のエネルギー＝地表の電磁気1個のエネルギー×12.48×3×108＝1.164×10−31J×12.48×3×108＝4.358×10−22J。
電磁気の軌道＝陽子の中の電気の光子の軌道エネルギー÷ 電磁気1個のエネルギー＝6.724×10−45Jm ÷(4.358×10−22J)＝1.543×10−23m。
1.7MeVの輪の電磁気数＝1.7MeV÷電磁気1個のエネルギー＝1.7MeV×1.602×10−13J÷(4.358×10−22J)＝6.249×108個。
輪の中の束数＝a4＝12.484＝2.426×104束
1束の電磁気数＝1輪の電磁気数÷輪の中の束数＝6.249×108個÷(2.426×104束)＝2.576×104個。
1束のエネルギー＝電磁気1個のエネルギー×1束の電磁気数＝4.358×10−22J×2.576×104個＝1.123×10−17J。
輪のエネルギー＝輪の中の束数×1束のエネルギー＝2.426×104束×1.123×10−17J＝2.724×10−13J=1.7MeV。
高エネルギー加速器における、陽子の中の1.7MeVのクオークと見做される輪の状態。
表23
2017005856.tif 000026
3.1MeVの場合。
陽子の中の3.1MeVのクオークと見做される輪はどのようになっているか。
陽子の外側の軌道の輪のエネルギーは、(1.2×102)2束×5.0508×10−27J×3×108×6.2415×1018eV=1.362×105eV=0.1362MeV、です。
3.1MeVの輪はこの何倍のエネルギーか。
a=3.1MeV÷0.1362MeV=22.76、倍のエネルギーです。
電磁気1個のエネルギー＝地表の電磁気1個のエネルギー×a×3×108=地表の電磁気1個のエネルギー×22.76×3×108＝1.164×10−31J×22.76×3×108＝7.948×10−22J
電磁気の軌道＝陽子の中の電気の光子の軌道エネルギー÷電磁気1個のエネルギー＝6.724×10−45Jm ÷(7.948×10−22J)＝8.460×10−24m
3.1MeVの輪の電磁気数＝3.1MeV÷電磁気1個のエネルギー＝3.1MeV×1.602×10−13J÷(7.948×10−22J)＝6.248×108個
輪の中の束数＝a4＝22.764＝2.683×105束
1束の電磁気数＝1輪の電磁気数÷輪の中の束数＝6.248×108個÷(2.683×105束)＝2.329×103個。
1束のエネルギー＝電磁気1個のエネルギー×1束の電磁気数＝7.948×10−22J×2.329×103個＝1.851×10−18J。
輪のエネルギー＝輪の中の束数×1束のエネルギー＝2.683×105束×1.851×10−18J＝4.966×10−13J=3.1MeV。
高エネルギー加速器における、陽子の中の3.1MeVのクオークと見做される輪の状態。
表24
2017005856.tif 000027
高エネルギー加速器における、陽子の中のクオークと見做される輪の状態をまとめて表に記す。
まとめて表に示す。
表25
2017005856.tif 000028
高エネルギー加速器に於いて、陽子の中の輪は中心から、陽子のラブの自転と公転→3.1MeVの輪の電磁気の回転→1.7MeVの輪の電磁気の回転→1.491MeVの輪の電磁気の回転の順に並んで回転している。
【請求項４】
電子の中の輪が3つの場合、電子の中の輪の束数を45.462束とする。この場合、aはいくらで、輪のエネルギーはいくらか。(これは、2015年3月3日に提出した、特願2015−041483に記した)
束数＝45.462束＝a4。a=45.462/4=6.742。束数＝45.462束＝2066.6束。
電子の輪の束数が45.462＝2066.6束である場合、aの値は、6.742です。この事は何を物語るか。
輪の束数が45.462＝2066.6である場合、電子のラブが作る輪の数は3個です。
今まで、電子の中に6つの輪があり、1つの輪は5.7MeVである場合、7.220倍のエネルギーであり、a=7.220であり、束数はa4=2.717×103束であると理解してきた。
そして、電子の中に6つの輪があり、1つの輪は4.1MeVである場合、5.193倍のエネルギーであり、a=5.193であり、束数はa4=7.272×102束であると理解してきた。
そして今、電子の中に3つの輪があり、1つの輪の束数が45.462＝2066.6束である場合、a=6.742であると理解した。
この理解により、a=7.220であり、束数はa4=2.717×103束である輪と、a=5.193であり、束数はa4=7.272×102束である輪と、a=6.742であり、束数はa4=45.462＝2066.6束である輪とは同じ仲間であり、電子の中に3つの輪があるものであると理解できた。
この事を表に示す。
a＝6.742の束数は45.462＝2066.6束で、これは電子の中の輪は3つの輪(クオークと見做されているもの)です。
それで、a＝7.220もa＝5.193も、電子の中の輪は3つの輪です。
表26
2017005856.tif 000029
【請求項５】
電子の中に3つの輪があり、クオークと見做される輪はどのようになっているか。
基本となる輪を、45.46束とする。
この基本となる輪のエネルギーは、輪の電磁気のエネルギー＝(4.546×10)束×9.274×10−24J×3×108×6.2415×1018eV＝7.895×105eV=7.895×10-1MeV、です。
5.7MeVは7.895×10−1MeVの何倍のエネルギーか
a=5.7MeV÷7.895×10−1MeV＝7.220
電磁気1個のエネルギー＝地表の電磁気1個のエネルギー×a×3×108＝1.165×10-31J×7.220×3×108＝2.523×10−22J
電磁気の軌道＝電子の中の電気の光子の軌道エネルギー÷電磁気1個のエネルギー＝1.233×10−41Jm÷(2.523×10−22J)＝4.887×10−20m
5.7MeVの輪の電磁気数＝5.7MeV÷電磁気1個のエネルギー＝5.7MeV×1.602×10−13J÷(2.523×10−22J)＝3.619×109個
輪の中の束数＝a4=7.2204=2.717×103束
1束の電磁気数＝1輪の電磁気数÷輪の中の束数＝3.619×109個÷(2.717×103束)＝1.332×106個
1束のエネルギー＝電磁気1個のエネルギー×1束の電磁気数＝2.523×10−22J×1.332×106個＝3.361×10−16J
輪のエネルギー＝輪の中の束数×1束のエネルギー＝2.717×103束×3.361×10−16J＝9.132×10−13J=5.7MeV
同様に、4.1MeVの場合と、5.323 MeVの場合について計算する。
高エネルギー加速器における、電子の中の5.7MeVのクオークと見做される輪の状態。
表27
2017005856.tif 000030
この基本となる輪のエネルギーは、輪の電磁気のエネルギー＝(4.546×10)束×9.274×10−24J×3×108×6.2415×1018eV＝7.895×105eV=7.895×10-1MeV、です。
4.1MeVは7.895×10−1MeVの何倍のエネルギーか
a=4.1MeV÷(7.895×10−1MeV)＝5.193
電磁気1個のエネルギー＝地表の電磁気1個のエネルギー×a×3×108＝1.165×10-31J×5.193×3×108＝1.815×10−22J
電磁気の軌道＝電子の中の電気の光子の軌道エネルギー÷電磁気1個のエネルギー＝1.233×10−41Jm÷(1.815×10−22J)＝6.793×10−20m
4.1MeVの輪の電磁気数＝4.1MeV÷電磁気1個のエネルギー＝4.1MeV×1.602×10−13J÷(1.815×10−22J)＝3.619×109個
輪の中の束数＝a4=5.1934=7.272×102束
1束の電磁気数＝1輪の電磁気数÷輪の中の束数＝3.619×109個÷(7.272×102束)＝4.977×106個
1束のエネルギー＝電磁気1個のエネルギー×1束の電磁気数＝1.815×10−22J×4.977×106個＝9.033×10−16J
輪のエネルギー＝輪の中の束数×1束のエネルギー＝7.272×102束×9.033×10−16J＝6.569×10−13J=4.1MeV
高エネルギー加速器における、電子の中の4.1MeVのクオークと見做される輪の状態。
表28
2017005856.tif 000031
5.323MeVの輪の状態。
この基本となる輪のエネルギーは、輪の電磁気のエネルギー＝(4.546×10)束×9.274×10−24J×3×108×6.2415×1018eV＝7.895×105eV=7.895×10-1MeV、です。
5.323MeVは7.895×10−1MeVの何倍のエネルギーか
a=5.323MeV÷(7.895×10−1MeV)＝6.742
電磁気1個のエネルギー＝地表の電磁気1個のエネルギー×a×3×108＝1.165×10-31J×6.742×3×108＝2.356×10−22J
電磁気の軌道＝電子の中の電気の光子の軌道エネルギー÷電磁気1個のエネルギー＝1.233×10−41Jm÷(2.356×10−22J)＝5.233×10−20m
5.323MeVの輪の電磁気数＝5.323MeV÷電磁気1個のエネルギー＝5.323MeV×1.602×10−13J÷(2.356×10−22J)＝3.619×109個
輪の中の束数＝a4=6.7424=2.066×103束
1束の電磁気数＝1輪の電磁気数÷輪の中の束数＝3.619×109個÷(2.066×103束)＝1.752×106個
1束のエネルギー＝電磁気1個のエネルギー×1束の電磁気数＝2.356×10−22J×1.752×106個＝4.128×10−16J
輪のエネルギー＝輪の中の束数×1束のエネルギー＝2.066×103束×4.128×10−16J＝8.528×10−13J=5.324MeV
高エネルギー加速器における、電子の中の5.324MeVのクオークと見做される輪の状態。
表29
2017005856.tif 000032
高エネルギー加速器における、電子の中のクオークと見做される輪の状態のまとめ。
表30
2017005856.tif 000033
高エネルギー加速器に於いて、電子の中の輪は中心から、電子のラブの自転と公転→5.7MeVの輪の電磁気の回転→5.323MeVの輪の電磁気の回転→4.1MeVの輪の電磁気の回転の順に並んで回転している。
【請求項６】
高エネルギー加速器に於ける、中性子の陽子の中の輪の状態はどのようであるか。。
高エネルギー加速器に於ける、陽子の中の輪の状態との比較。
・電磁気のエネルギーは3873倍になる。
・電磁気の軌道は3873分の1になる。
・輪の中の束数は変わらない。
・電磁気の数は変わらない。
高エネルギー加速器に於ける、中性子の陽子の中の輪の状態
表31
2017005856.tif 000034
【請求項７】
高エネルギー加速器に於ける、中性子の電子の中の輪の状態はどのようであるか。
高エネルギー加速器に於ける、電子の中の輪の状態との比較。
・電磁気のエネルギーは3873倍になる。
・電磁気の軌道は3873分の1になる。
・輪の中の束数は変わらない。
・電磁気の数は変わらない。
高エネルギー加速器に於ける、中性子の電子の中の輪の状態
表32
2017005856.tif 000035
【請求項８】
地表における陽子の中はどのようであるか。
高エネルギー加速器で、クオークと見做される陽子のラブに引かれて回転している輪のエネルギーから、陽子の中はどのようになっているのかを考えます。
私は核磁子とボーア半径より、陽子のラブの性質を計算しました。しかしこのデータ−は誤りです。
陽子のラブは自転し磁気の光子を作り、公転し電気の光子を作ります。
陽子のラブはその磁気の光子と電気の光子を引きつけています。
高エネルギー加速器に於いて、そのエネルギーは3×108倍になり、3つの輪で、クオークとして観察されます。
地表における陽子の中は、高エネルギー加速器におけるエネルギーの3×108分の１です。
地表に於いて、陽子のラブはその3つの輪を引き付けています。
地表に於いて、1番外側の電磁気は1束で、核磁子です。
高エネルギー加速器における、陽子の中の輪の状態(高エネルギー加速器で、クオークと見做される陽子のラブに引かれて回転している輪のエネルギーから、陽子の中はどのようになっているのかを考えます)
表に示す。
表33
2017005856.tif 000036
陽子のラブは4.34×104自転で1公転する。4.34×104公転でできる電磁気を1束とする。
電磁気数が4.34×104個で1束とする。
輪の中の束数＝輪の電磁気数÷1束の電磁気数＝6.248×108個÷(4.34×104個)＝1.440×104束、です。
・輪の中の束数が1.440×104束である場合のaはいくらか。
輪の中の束数＝a4=1.440×104
a＝(1.440×104)1/4＝1.095×10
・a=10.95の場合の電磁気1個のエネルギーとその軌道はいくらか。
電磁気1個のエネルギーは、地表の電磁気1個のエネルギー×10.95＝1.167×10−31J×10.95＝1.278×10−30J、です。
この電磁気の軌道は、6.724×10−45Jm÷(1.278×10−30J)＝5.261×10−15m、です。
・核磁子の束数は１です。a=1の場合の電磁気1個のエネルギーとその軌道はいくらか。
電磁気1個のエネルギーは、1.167×10−31Jです。
この電磁気の軌道は、6.724×10−45Jm÷(1.167×10−31J)＝5.762×10−14m、です。
よって、核磁子の電磁気の軌道は5.762×10−14mで、そのエネルギーは1.167×10−31Jです。
この事を表に示す。
輪の中の束数＝a4=1.440×104。a=10.95の場合の電磁気1個のエネルギーとその軌道
核磁子の束数は１です。a=1の場合の電磁気1個のエネルギーとその軌道
表34
2017005856.tif 000037
地表の陽子の輪の状態。補正したもの。
表35
2017005856.tif 000038
地表の陽子の中は、陽子のラブの公転軌道→1.033×10−8MeVの輪→5.668×10−9MeVの輪→4.973×10−9MeVの輪→核磁子の輪の順に軌道を大きくする。
その軌道は電磁気の軌道です。
2.538×10−15m→4.629×10−15m→5.274×10−15m→5.762×10−14m、です。
陽子のラブの公転軌道は2.538×10−15mより小さい。
【請求項９】
地表における電子の中はどのようであるか。
高エネルギー加速器で、クオークと見做される電子のラブに引かれて回転している輪のエネルギーから、電子の中はどのようになっているのかを考えます。
私はボーア磁子とボーア半径より、電子のラブの性質を計算しました。しかしこのデータ−は誤りです。
電子のラブは自転し磁気の光子を作り、公転し電気の光子を作ります。
電子のラブはその磁気の光子と電気の光子を引きつけています。
高エネルギー加速器に於いて、そのエネルギーは3×108倍になり、3つの輪で、クオークとして観察されます。
地表における電子の中は、高エネルギー加速器におけるエネルギーの3×108分の１です。
地表に於いて、電子のラブはその3つの輪を引き付けています。
地表に於いて、1番外側の電磁気は1束で、ボーア磁子です。
地表における電子の中の状態(高エネルギー加速器で、クオークと見做される電子のラブに引かれて回転している輪のエネルギーから、電子の中はどのようになっているのかを考えます)
表36
2017005856.tif 000039
2017005856.tif 000040
ここで、問題になるのは、地表における、1束のエネルギーはボーア磁子の何倍のエネルギーかの表で、高エネルギーの軌道にある1束ほどエネルギーが小さいという事です。
この事は、地表に於いて、地表のエネルギーは小さいので、束数は同じであると考える。
ボーア磁子のエネルギーは1公転のエネルギーですから、ボーア磁子＝地表における、電磁気1個のエネルギー×電磁気の個数。
電磁気の個数＝ボーア磁子÷地表における、電磁気1個のエネルギー、を計算する。
電磁気の個数＝ボーア磁子÷地表における、電磁気1個のエネルギー＝9.274×10−24J÷(8.410×10−31J )＝1.103×107個
電磁気の個数＝ボーア磁子÷地表における、電磁気1個のエネルギー＝9.274×10−24J÷(7.853×10−31J)＝1.181×107個
電磁気の個数＝ボーア磁子÷地表における、電磁気1個のエネルギー＝9.274×10−24J÷(6.050×10−31J)＝1.533×107個
それで、1束の電磁気の個数を7.96×107個とする。
これは、電子のラブは1公転で7.96×107回自転し、1秒間に(7.96×107)3回自転し、(7.96×107)2回公転するからです。
(7.96×107)公転でできる電磁気が1束に成っていると考える。
各々の輪には1束が7.96×107個の電磁気である束が存在する。
輪の中の束数＝輪の電磁気数÷1束の電磁気数＝3.620×109個÷(7.96×107個)＝4.548×10束存在する。
輪の中の束数＝a4＝4.548×10
a＝(45.48)1/4=2.597
・a=2.597の場合の電磁気1個のエネルギーとその軌道はいくらか。
電磁気1個のエネルギーは、地表の電磁気1個のエネルギー×2.597＝1.167×10−31J×2.597＝3.031×10−31J、です。
この軌道＝1.233×10−41Jm÷(3.031×10−31J)＝4.068×10−11m。
a=2.597の場合の電磁気1個のエネルギーは3.031×10−31Jで、軌道は4.068×10−11mです。
・ボーア磁子の束数は１です。それで、a=1の場合の電磁気1個のエネルギーとその軌道はいくらか。
a=1の電磁気1個のエネルギーは1.167×10−31Jです。
この軌道＝1.233×10−41Jm÷(1.167×10−31J)＝1.057×10−10m、です。
よって、ボーア磁子の電磁気の軌道は1.057×10−10mです。そのエネルギーは1.167×10−31Jです。
この事を表に示す。
輪の中の束数＝a4＝4.548×10。a=2.597の場合の電磁気1個のエネルギーとその軌道.
ボーア磁子の束数は１です。それで、a=1の場合の電磁気1個のエネルギーとその軌道
表37
2017005856.tif 000041
地表の電子の中の状態。補正したもの。
表38
2017005856.tif 000042
地表の電子の中は、電子のラブの公転軌道→1.900×10−8MeVの輪 →1.775×10−8MeV の輪→1.367×10−8MeVの輪→ボーア磁子の輪の順に軌道を大きくする。
その軌道は電磁気の軌道です。
1.466×10−11m→1.570×10−11m→2.019×10−11m→1.057×10−10m、です。
電子のラブの公転軌道は1.466×10−11mより小さい。
【発明の詳細な説明】
【技術分野】
【０００１】
本発明は、高エネルギー加速器で観察されるものに関するものである。
【背景技術】
【０００２】
私は、高エネルギー加速器で観察されるもの１，２，３，４，５，６，７、に於いて、１MeV=5.339×10−22Jとして計算していた。これは誤りです。それで、この事を訂正する。
【先行技術文献】
【特許文献】
【０００３】
【特許文献１】特願2014−247501
【特許文献２】特願2006−336352
【特許文献３】特願2014−252526
【特許文献４】特願2014−259608
【特許文献５】特願2015-007894
【特許文献６】特願2015-018905
【特許文献７】特願2015-024551
【特許文献８】特願2015−041483
【発明の概要】
【発明が解決しようとする課題】
【０００４】
１．  輪の中の電磁気の束数を求める方法。(この事は2015年1月19日に提出した、特願2015−007894と、2015年2月3日に提出した、特願2015−018905に記した)
２．  陽子の中の輪が3つの場合、陽子の中の輪の束数を(1.2×102)2束とする。この場合、aはいくらで、輪のエネルギーはいくらか。
３．  陽子の中の1.492MeVのクオークと見做される輪はどのようになっているか。
４．  電子の中の輪が3つの場合、電子の中の輪の束数を45.462束とする。この場合、aはいくらで、輪のエネルギーはいくらか。(これは、2015年3月3日に提出した、特願2015−041483に記した)
５．  電子の中に3つの輪があり、クオークと見做される輪はどのようになっているか。
６．  高エネルギー加速器に於ける、中性子の陽子の中の輪の状態はどのようであるか。
７．  高エネルギー加速器に於ける、中性子の電子の中の輪の状態はどのようであるか。
８．  地表における陽子の中はどのようであるか。
９．  地表における電子の中はどのようであるか。
【課題を解決するための手段】
【０００５】
1．  陽子の中の高エネルギーの電磁気の引力2＝陽子の中の電磁気のエネルギー2÷陽子の中の電磁気の軌道2＝陽子の中の電磁気のエネルギー2÷(6.724×10−45Jm÷陽子の中の電磁気のエネルギー)2＝陽子の中の電磁気のエネルギー4÷(6.724×10−45Jm)2
・陽子の中の高エネルギーの軌道における束数＝陽子の中の高エネルギーの電磁気の引力2÷陽子の外側の核磁子の電磁気の引力2＝陽子の中の電磁気のエネルギー4÷(6.724×10−45Jm)2÷(2.025×10−18J/m)2＝陽子の中の電磁気のエネルギー4×5.394×10123J＝陽子の中の電磁気のエネルギー4÷(1÷5.394×10−123J)＝陽子の中の電磁気のエネルギー4÷(1.854×10−124J)＝｛陽子の中の電磁気のエネルギー÷(1.167×10−31J)｝4
2．  a4=(1.2×102)2。a=10.954。
3．  電磁気1個のエネルギー＝1.164×10−31J×10.954×3×108＝3.825×10−22J。
電磁気の軌道＝陽子の中の電気の光子の軌道エネルギー÷ 電磁気1個のエネルギー＝6.724×10−45Jm ÷(3.825×10−22J)＝1.758×10−23m。
1.492MeVの輪の電磁気数＝1.492MeV÷電磁気1個のエネルギー＝1.492MeV×1.602×10−13J÷(3.825×10−22J)＝6.249×108個
輪の中の束数＝a4＝10.9544＝1.440×104束。
1束の電磁気数＝1輪の電磁気数÷輪の中の束数＝6.250×108個÷(1.440×104束)＝4.340×104個。
1束のエネルギー＝電磁気1個のエネルギー×1束の電磁気数＝3.825×10−22J×4.340×104個＝1.660×10−17J。
輪のエネルギー＝輪の中の束数×1束のエネルギー＝1.440×104束×1.660×10−17J＝2.390×10−13J=1.492MeV。
4．  そして今、電子の中に3つの輪があり、1つの輪の束数が45.462＝2066.6束である場合、a=6.742であると理解した。
5．  基本となる輪を、45.46束とする。
この基本となる輪のエネルギーは、輪の電磁気のエネルギー＝(4.546×10)束×9.274×10−24J×3×108×6.2415×1018eV＝7.895×105eV=7.895×10-1MeV、です。
5.7MeVは7.895×10−1MeVの何倍のエネルギーか
a=5.7MeV÷7.895×10−1MeV＝7.220
電磁気1個のエネルギー＝地表の電磁気1個のエネルギー×a×3×108＝1.165×10-31J×7.220×3×108＝2.523×10−22J
電磁気の軌道＝電子の中の電気の光子の軌道エネルギー÷電磁気1個のエネルギー＝1.233×10−41Jm÷(2.523×10−22J)＝4.887×10−20m
5.7MeVの輪の電磁気数＝5.7MeV÷電磁気1個のエネルギー＝5.7MeV×1.602×10−13J÷(2.523×10−22J)＝3.619×109個
輪の中の束数＝a4=7.2204=2.717×103束
1束の電磁気数＝1輪の電磁気数÷輪の中の束数＝3.619×109個÷(2.717×103束)＝1.332×106個
1束のエネルギー＝電磁気1個のエネルギー×1束の電磁気数＝2.523×10−22J×1.332×106個＝3.361×10−16J
輪のエネルギー＝輪の中の束数×1束のエネルギー＝2.717×103束×3.361×10−16J＝9.132×10−13J=5.7MeV
6．  高エネルギー加速器に於ける、陽子の中の輪の状態との比較。
・電磁気のエネルギーは3873倍になる。
・電磁気の軌道は3873分の1になる。
・輪の中の束数は変わらない。
・電磁気の数は変わらない。
7．  高エネルギー加速器に於ける、電子の中の輪の状態との比較。
・電磁気のエネルギーは3873倍になる。
・電磁気の軌道は3873分の1になる。
・輪の中の束数は変わらない。
・電磁気の数は変わらない。
8．  高エネルギー加速器で、クオークと見做される陽子のラブに引かれて回転している輪のエネルギーから、陽子の中はどのようになっているのかを考えます。
私は核磁子とボーア半径より、陽子のラブの性質を計算しました。しかしこのデータ−は誤りです。
陽子のラブは自転し磁気の光子を作り、公転し電気の光子を作ります。
陽子のラブはその磁気の光子と電気の光子を引きつけています。
高エネルギー加速器に於いて、そのエネルギーは3×108倍になり、3つの輪で、クオークとして観察されます。
地表における陽子の中は、高エネルギー加速器におけるエネルギーの3×108分の１です。
地表に於いて、陽子のラブはその3つの輪を引き付けています。
地表に於いて、1番外側の電磁気は1束で、核磁子です。
・陽子のラブは4.34×104自転で1公転する。4.34×104公転でできた電磁気を1束とする。
電磁気数が4.34×104個で1束とする。
輪の中の束数＝輪の電磁気数÷1束の電磁気数＝6.248×108個÷(4.34×104個)＝1.440×104束、です。
・輪の中の束数が1.440×104束である場合のaはいくらか。
輪の中の束数＝a4=1.440×104
a＝(1.440×104)1/4＝1.095×10
・a=10.95の場合の電磁気1個のエネルギーとその軌道はいくらか。
電磁気1個のエネルギーは、地表の電磁気1個のエネルギー×10.95＝1.167×10−31J×10.95＝1.278×10−30J、です。
この電磁気の軌道は、6.724×10−45Jm÷(1.278×10−30J)＝5.261×10−15m、です。
・核磁子の束数は１です。a=1の場合の電磁気1個のエネルギーとその軌道はいくらか。
電磁気1個のエネルギーは、1.167×10−31Jです。
この電磁気の軌道は、6.724×10−45Jm÷(1.167×10−31J)＝5.762×10−14m、です。
よって、核磁子の電磁気の軌道は5.762×10−14mで、そのエネルギーは1.167×10−31Jです。
9．  高エネルギー加速器で、クオークと見做される電子のラブに引かれて回転している輪のエネルギーから、電子の中はどのようになっているのかを考えます。
私はボーア磁子とボーア半径より、電子のラブの性質を計算しました。しかしこのデータ−は誤りです。
電子のラブは自転し磁気の光子を作り、公転し電気の光子を作ります。
電子のラブはその磁気の光子と電気の光子を引きつけています。
高エネルギー加速器に於いて、そのエネルギーは3×108倍になり、3つの輪で、クオークとして観察されます。
地表における電子の中は、高エネルギー加速器におけるエネルギーの3×108分の１です。
地表に於いて、電子のラブはその3つの輪を引き付けています。
地表に於いて、1番外側の電磁気は1束で、ボーア磁子です。
・(7.96×107)公転でできる電磁気が1束に成っていると考える。
各々の輪には1束が7.96×107個の電磁気である束が存在する。
輪の中の束数＝輪の電磁気数÷1束の電磁気数＝3.620×109個÷(7.96×107個)＝4.548×10束存在する。
輪の中の束数＝a4＝4.548×10
a＝(45.48)1/4=2.597
・a=2.597の場合の電磁気1個のエネルギーとその軌道はいくらか。
電磁気1個のエネルギーは、地表の電磁気1個のエネルギー×2.597＝1.167×10−31J×2.597＝3.031×10−31J、です。
この軌道＝1.233×10−41Jm÷(3.031×10−31J)＝4.068×10−11m。
a=2.597の場合の電磁気1個のエネルギーは3.031×10−31Jで、軌道は4.068×10−11mです。
・ボーア磁子の束数は１です。それで、a=1の場合の電磁気1個のエネルギーとその軌道はいくらか。
a=1の電磁気1個のエネルギーは1.167×10−31Jです。
この軌道＝1.233×10−41Jm÷(1.167×10−31J)＝1.057×10−10m、です。
よって、ボーア磁子の電磁気の軌道は1.057×10−10mです。そのエネルギーは1.167×10−31Jです。
【発明の効果】
【０００６】
１．  1．(1.167×10−31J)は地表の引力です。それで、束数は地表のエネルギーの何倍のエネルギーであるかに由る。
2．束数は引力により引き付けられている。
3．地表の引力(1.167×10−31J)により、1束引き付けられている。これは核磁子です。  
4．陽子の中の高エネルギーの軌道における束数＝｛陽子の中の電磁気のエネルギー÷(1.167×10−31J)｝4
5．陽子の中の高エネルギーの軌道における束数は引力4です。
6．束数は引力4です。
2．  陽子の外側の核磁子の軌道の輪のエネルギーは、(1.2×102)2束×5.0508×10−27J×3×108×6.2415×1018eV=1.362×105eV=0.1362MeV、です。この10.954倍の輪は、0.1362MeV×10.954＝1.492MeV、です。
3．  ・高エネルギー加速器における、1.492MeVの輪の状態。
・高エネルギー加速器における、1.7MeVの輪の状態。
・高エネルギー加速器における、3.1MeVの輪の状態。を記す。
・高エネルギー加速器における、陽子の中の輪の状態をまとめて記す。
４．  この理解により、a=7.220であり、束数はa4=2.717×103束である輪と、a=5.193であり、束数はa4=7.272×102束である輪と、a=6.742であり、束数はa4=45.462＝2066.6束である輪とは同じ仲間であり、電子の中に3つの輪があるものであると理解できた。
5．  ・高エネルギー加速器における、電子の中の5.7MeVのクオークと見做される輪の状態。
・高エネルギー加速器における、電子の中の4.1MeVのクオークと見做される輪の状態。
・高エネルギー加速器における、電子の中の5.323MeVのクオークと見做される輪の状態。
・高エネルギー加速器における、電子の中のクオークと見做される輪の状態のまとめ。
6．  高エネルギー加速器に於ける、中性子の陽子の中の輪の状態。
7．  高エネルギー加速器に於ける、中性子の電子の中の輪の状態。
8．  ・高エネルギー加速器における、陽子の中の輪の状態(高エネルギー加速器で、クオークと見做される陽子のラブに引かれて回転している輪のエネルギーから、陽子の中はどのようになっているのかを考えます)
・輪の中の束数＝a4=1.440×104。a=10.95の場合の電磁気1個のエネルギーとその軌道
核磁子の束数は１です。a=1の場合の電磁気1個のエネルギーとその軌道
・地表の陽子の輪の状態。補正したもの。
9．  ・地表における電子の中の状態(高エネルギー加速器で、クオークと見做される電子のラブに引かれて回転している輪のエネルギーから、電子の中はどのようになっているのかを考えます)
・輪の中の束数＝a4＝4.548×10。a=2.597の場合の電磁気1個のエネルギーとその軌道.
ボーア磁子の束数は１です。それで、a=1の場合の電磁気1個のエネルギーとその軌道
・地表の電子の中の状態。補正したもの。
【図面の簡単な説明】
【０００７】
【図１】図１は高エネルギー加速器における、陽子の中の3.1MeVのクオークと見做される輪の状態を示す。陽子の中の3.1MeVのクオークと見做される輪はどのようになっているか。陽子の外側の軌道の輪１  のエネルギーは、(1.2×102)2束×5.0508×10−27J×3×108×6.2415×1018eV=1.362×105eV=0.1362MeV、です。3.1MeVの輪２  はこの何倍のエネルギーか。a=3.1MeV÷0.1362MeV=22.76、倍のエネルギーです。電磁気1個のエネルギー３  ＝地表の電磁気1個のエネルギー×a×3×108=地表の電磁気1個のエネルギー×22.76×3×108＝1.164×10−31J×22.76×3×108＝7.948×10−22J。電磁気の軌道４  ＝陽子の中の電気の光子の軌道エネルギー÷電磁気1個のエネルギー＝6.724×10−45Jm ÷(7.948×10−22J)＝8.460×10−24m。3.1MeVの輪の電磁気数５  ＝3.1MeV÷電磁気1個のエネルギー＝3.1MeV×1.602×10−13J÷(7.948×10−22J)＝6.248×108個。輪の中の束数６  ＝a4＝22.764＝2.683×105束。1束の電磁気数７  ＝1輪の電磁気数÷輪の中の束数＝6.248×108個÷(2.683×105束)＝2.329×103個。1束のエネルギー８  ＝電磁気1個のエネルギー×1束の電磁気数＝7.948×10−22J×2.329×103個＝1.851×10−18J。輪のエネルギー９  ＝輪の中の束数×1束のエネルギー＝2.683×105束×1.851×10−18J＝4.966×10−13J=3.1MeV。
【図２】図２は高エネルギー加速器における、陽子の中の3.1MeVのクオークと見做される輪２  と、陽子の中の1.7MeVのクオークと見做される輪１０  と、陽子の中の1.492MeVのクオークと見做される輪１１  を図示する。高エネルギー加速器における、陽子の中の1.7MeVのクオークと見做される輪１０の電磁気が回転する軌道１２  ＝陽子の中の電気の光子の軌道エネルギー÷電磁気1個のエネルギー＝6.724×10−45Jm ÷(4.358×10−22J)＝1.543×10−23m。高エネルギー加速器における、陽子の中の1.492MeVのクオークと見做される輪１１の電磁気が回転する軌道１３  ＝陽子の中の電気の光子の軌道エネルギー÷電磁気1個のエネルギー＝6.724×10−45Jm ÷(7.948×10−22J)＝8.460×10−24m。高エネルギー加速器における、陽子のラブ１４と、陽子のラブの公転軌道１５  を図示する。高エネルギー加速器における、最も外側の核磁子が放出する電磁気の軌道１６  ＝5.762×10−14m÷(3×108)＝1.921×10−22m。
【発明を実施するための形態】
【０００８】
１．    輪の中の電磁気の束数を求める方法。(この事は2015年1月19日に提出した、特願2015−007894と、2015年2月3日に提出した、特願2015−018905に記した)
・陽子の中の高エネルギーの電磁気の引力2＝陽子の中の電磁気のエネルギー2÷陽子の中の電磁気の軌道2＝陽子の中の電磁気のエネルギー2÷(6.724×10−45Jm÷陽子の中の電磁気のエネルギー)2＝陽子の中の電磁気のエネルギー4÷(6.724×10−45Jm)2
・陽子の中の高エネルギーの軌道における束数＝陽子の中の高エネルギーの電磁気の引力2÷陽子の外側の核磁子の電磁気の引力2＝陽子の中の電磁気のエネルギー4÷(6.724×10−45Jm)2÷(2.025×10−18J/m)2＝陽子の中の電磁気のエネルギー4×5.394×10123J＝陽子の中の電磁気のエネルギー4÷(1÷5.394×10−123J)＝陽子の中の電磁気のエネルギー4÷(1.854×10−124J)＝｛陽子の中の電磁気のエネルギー÷(1.167×10−31J)｝4
但し、地表の陽子の外側の電磁気のエネルギーは1.167×10−31Jで、電磁気の軌道は5.764×10−14mです。
陽子の外側の核磁子の電磁気の引力2＝(1.167×10−31J)2÷(5.764×10−14m)2＝(2.025×10−18J/m)2
・陽子の中の高エネルギーの軌道における束数＝｛陽子の中の電磁気のエネルギー÷(1.167×10−31J)｝4
・陽子の中の高エネルギーの軌道における束数1/4＝陽子の中の電磁気のエネルギー÷(1.167×10−31J)  この式は何を意味するか。
1．(1.167×10−31J)は地表の引力です。それで、束数は地表のエネルギーの何倍のエネルギーであるかに由る。
2．束数は引力により引き付けられている。
3．地表の引力(1.167×10−31J)により、1束引き付けられている。これは核磁子です。  
4．陽子の中の高エネルギーの軌道における束数＝｛陽子の中の電磁気のエネルギー÷(1.167×10−31J)｝4
5．陽子の中の高エネルギーの軌道における束数は引力4です。
6．束数は引力4です。
・高エネルギーに成った核磁子のエネルギーは1.362×10−1MeVですから、
束数＝｛輪のMeV÷(1.362×10−1MeV)｝4＝a4、です。
まとめ
陽子の中の輪の束数＝A4×5.394×10123＝｛A÷(1.167×10-31J)｝4＝｛輪のMeV÷(1.362×10-1MeV)｝4＝a4
電子の中の輪の束数＝A4×5.428×10123（束）＝｛A÷（1.165×10-31）｝4＝｛輪のMeV÷(7.895×10-1MeV)｝4=a4
A=輪の電磁気のエネルギー＝地表の電磁気のネルギー×a
電子の中の輪の束数も陽子の中の輪の束数も地表のエネルギーの何倍のエネルギーであるかに由る。
a倍であると、輪の束数はa4倍である。
まとめて表に示す。
陽子の中の輪の束数の求め方。
表1
2017005856.tif 000003
電子の中の輪の束数の求め方。
表2
2017005856.tif 000004
２．    陽子の中の輪が3つの場合、陽子の中の輪の束数を(1.2×102)2束とする。この場合、aはいくらで、輪のエネルギーはいくらか。
束数は引力により集められていて、エネルギーの倍数をaとすると、a4です。それで、輪が3つの場合、陽子の中の輪の束数を(1.2×102)2束とする。a4=(1.2×102)2。a=10.954。
陽子の外側の軌道の輪のエネルギーは、(1.2×102)2束×5.0508×10−27J×3×108×6.2415×1018eV=1.362×105eV=0.1362MeV、です。この10.954倍の輪は、0.1362MeV×10.954＝1.492MeV、です。
３．    陽子の中の1.492MeVのクオークと見做される輪はどのようになっているか。
電磁気1個のエネルギー＝1.164×10−31J×10.954×3×108＝3.825×10−22J。
電磁気の軌道＝陽子の中の電気の光子の軌道エネルギー÷ 電磁気1個のエネルギー＝6.724×10−45Jm ÷(3.825×10−22J)＝1.758×10−23m。
1.492MeVの輪の電磁気数＝1.492MeV÷電磁気1個のエネルギー＝1.492MeV×1.602×10−13J÷(3.825×10−22J)＝6.249×108個
輪の中の束数＝a4＝10.9544＝1.440×104束。
1束の電磁気数＝1輪の電磁気数÷輪の中の束数＝6.250×108個÷(1.440×104束)＝4.340×104個。
1束のエネルギー＝電磁気1個のエネルギー×1束の電磁気数＝3.825×10−22J×4.340×104個＝1.660×10−17J。
輪のエネルギー＝輪の中の束数×1束のエネルギー＝1.440×104束×1.660×10−17J＝2.390×10−13J=1.492MeV。
同様に、1.7MeVの場合と、3.1 MeVの場合について計算する。
高エネルギー加速器における、陽子の中の1.492MeVのクオークと見做される輪の状態。
表3
2017005856.tif 000005
1.7MeVの場合。
陽子の中の1.7MeVのクオークと見做される輪はどのようになっているか。
陽子の外側の軌道の輪のエネルギーは、(1.2×102)2束×5.0508×10−27J×3×108×6.2415×1018eV=1.362×105eV=0.1362MeV、です。
1.7MeVの輪はこの何倍のエネルギーか。
a=1.7MeV÷0.1362MeV=12.48、倍のエネルギーです。
電磁気1個のエネルギー＝地表の電磁気1個のエネルギー×12.48×3×108＝1.164×10−31J×12.48×3×108＝4.358×10−22J。
電磁気の軌道＝陽子の中の電気の光子の軌道エネルギー÷ 電磁気1個のエネルギー＝6.724×10−45Jm ÷(4.358×10−22J)＝1.543×10−23m。
1.7MeVの輪の電磁気数＝1.7MeV÷電磁気1個のエネルギー＝1.7MeV×1.602×10−13J÷(4.358×10−22J)＝6.249×108個。
輪の中の束数＝a4＝12.484＝2.426×104束
1束の電磁気数＝1輪の電磁気数÷輪の中の束数＝6.249×108個÷(2.426×104束)＝2.576×104個。
1束のエネルギー＝電磁気1個のエネルギー×1束の電磁気数＝4.358×10−22J×2.576×104個＝1.123×10−17J。
輪のエネルギー＝輪の中の束数×1束のエネルギー＝2.426×104束×1.123×10−17J＝2.724×10−13J=1.7MeV。
高エネルギー加速器における、陽子の中の1.7MeVのクオークと見做される輪の状態。
表4
2017005856.tif 000006
3.1MeVの場合。
陽子の中の3.1MeVのクオークと見做される輪はどのようになっているか。
陽子の外側の軌道の輪のエネルギーは、(1.2×102)2束×5.0508×10−27J×3×108×6.2415×1018eV=1.362×105eV=0.1362MeV、です。
3.1MeVの輪はこの何倍のエネルギーか。
a=3.1MeV÷0.1362MeV=22.76、倍のエネルギーです。
電磁気1個のエネルギー＝地表の電磁気1個のエネルギー×a×3×108=地表の電磁気1個のエネルギー×22.76×3×108＝1.164×10−31J×22.76×3×108＝7.948×10−22J
電磁気の軌道＝陽子の中の電気の光子の軌道エネルギー÷電磁気1個のエネルギー＝6.724×10−45Jm ÷(7.948×10−22J)＝8.460×10−24m
3.1MeVの輪の電磁気数＝3.1MeV÷電磁気1個のエネルギー＝3.1MeV×1.602×10−13J÷(7.948×10−22J)＝6.248×108個
輪の中の束数＝a4＝22.764＝2.683×105束
1束の電磁気数＝1輪の電磁気数÷輪の中の束数＝6.248×108個÷(2.683×105束)＝2.329×103個。
1束のエネルギー＝電磁気1個のエネルギー×1束の電磁気数＝7.948×10−22J×2.329×103個＝1.851×10−18J。
輪のエネルギー＝輪の中の束数×1束のエネルギー＝2.683×105束×1.851×10−18J＝4.966×10−13J=3.1MeV。
高エネルギー加速器における、陽子の中の3.1MeVのクオークと見做される輪の状態。
表5
2017005856.tif 000007
高エネルギー加速器における、陽子の中のクオークと見做される輪の状態をまとめて表に記す。
まとめて表に示す。
表6
2017005856.tif 000008
高エネルギー加速器に於いて、陽子の中の輪は中心から、陽子のラブの自転と公転→3.1MeVの輪の電磁気の回転→1.7MeVの輪の電磁気の回転→1.491MeVの輪の電磁気の回転の順に並んで回転している。
４．    電子の中の輪が3つの場合、電子の中の輪の束数を45.462束とする。この場合、aはいくらで、輪のエネルギーはいくらか。(これは、2015年3月3日に提出した、特願2015−041483に記した)
束数＝45.462束＝a4。a=45.462/4=6.742。束数＝45.462束＝2066.6束。
電子の輪の束数が45.462＝2066.6束である場合、aの値は、6.742です。この事は何を物語るか。
輪の束数が45.462＝2066.6である場合、電子のラブが作る輪の数は3個です。
今まで、電子の中に6つの輪があり、1つの輪は5.7MeVである場合、7.220倍のエネルギーであり、a=7.220であり、束数はa4=2.717×103束であると理解してきた。
そして、電子の中に6つの輪があり、1つの輪は4.1MeVである場合、5.193倍のエネルギーであり、a=5.193であり、束数はa4=7.272×102束であると理解してきた。
そして今、電子の中に3つの輪があり、1つの輪の束数が45.462＝2066.6束である場合、a=6.742であると理解した。
この理解により、a=7.220であり、束数はa4=2.717×103束である輪と、a=5.193であり、束数はa4=7.272×102束である輪と、a=6.742であり、束数はa4=45.462＝2066.6束である輪とは同じ仲間であり、電子の中に3つの輪があるものであると理解できた。
この事を表に示す。
a＝6.742の束数は45.462＝2066.6束で、これは電子の中の輪は3つの輪(クオークと見做されているもの)です。
それで、a＝7.220もa＝5.193も、電子の中の輪は3つの輪です。
表7
2017005856.tif 000009
５．    電子の中のに3つの輪があり、クオークと見做される輪はどのようになっているか。
基本となる輪を、45.46束とする。
この基本となる輪のエネルギーは、輪の電磁気のエネルギー＝(4.546×10)束×9.274×10−24J×3×108×6.2415×1018eV＝7.895×105eV=7.895×10-1MeV、です。
5.7MeVは7.895×10−1MeVの何倍のエネルギーか
a=5.7MeV÷7.895×10−1MeV＝7.220
電磁気1個のエネルギー＝地表の電磁気1個のエネルギー×a×3×108＝1.165×10-31J×7.220×3×108＝2.523×10−22J
電磁気の軌道＝電子の中の電気の光子の軌道エネルギー÷電磁気1個のエネルギー＝1.233×10−41Jm÷(2.523×10−22J)＝4.887×10−20m
5.7MeVの輪の電磁気数＝5.7MeV÷電磁気1個のエネルギー＝5.7MeV×1.602×10−13J÷(2.523×10−22J)＝3.619×109個
輪の中の束数＝a4=7.2204=2.717×103束
1束の電磁気数＝1輪の電磁気数÷輪の中の束数＝3.619×109個÷(2.717×103束)＝1.332×106個
1束のエネルギー＝電磁気1個のエネルギー×1束の電磁気数＝2.523×10−22J×1.332×106個＝3.361×10−16J
輪のエネルギー＝輪の中の束数×1束のエネルギー＝2.717×103束×3.361×10−16J＝9.132×10−13J=5.7MeV
同様に、4.1MeVの場合と、5.323 MeVの場合について計算する。
高エネルギー加速器における、電子の中の5.7MeVのクオークと見做される輪の状態。
表8
2017005856.tif 000010
この基本となる輪のエネルギーは、輪の電磁気のエネルギー＝(4.546×10)束×9.274×10−24J×3×108×6.2415×1018eV＝7.895×105eV=7.895×10-1MeV、です。
4.1MeVは7.895×10−1MeVの何倍のエネルギーか
a=4.1MeV÷(7.895×10−1MeV)＝5.193
電磁気1個のエネルギー＝地表の電磁気1個のエネルギー×a×3×108＝1.165×10-31J×5.193×3×108＝1.815×10−22J
電磁気の軌道＝電子の中の電気の光子の軌道エネルギー÷電磁気1個のエネルギー＝1.233×10−41Jm÷(1.815×10−22J)＝6.793×10−20m
4.1MeVの輪の電磁気数＝4.1MeV÷電磁気1個のエネルギー＝4.1MeV×1.602×10−13J÷(1.815×10−22J)＝3.619×109個
輪の中の束数＝a4=5.1934=7.272×102束
1束の電磁気数＝1輪の電磁気数÷輪の中の束数＝3.619×109個÷(7.272×102束)＝4.977×106個
1束のエネルギー＝電磁気1個のエネルギー×1束の電磁気数＝1.815×10−22J×4.977×106個＝9.033×10−16J
輪のエネルギー＝輪の中の束数×1束のエネルギー＝7.272×102束×9.033×10−16J＝6.569×10−13J=4.1MeV
高エネルギー加速器における、電子の中の4.1MeVのクオークと見做される輪の状態。
表9
2017005856.tif 000011
5.323MeVの輪の状態。
この基本となる輪のエネルギーは、輪の電磁気のエネルギー＝(4.546×10)束×9.274×10−24J×3×108×6.2415×1018eV＝7.895×105eV=7.895×10-1MeV、です。
5.323MeVは7.895×10−1MeVの何倍のエネルギーか
a=5.323MeV÷(7.895×10−1MeV)＝6.742
電磁気1個のエネルギー＝地表の電磁気1個のエネルギー×a×3×108＝1.165×10-31J×6.742×3×108＝2.356×10−22J
電磁気の軌道＝電子の中の電気の光子の軌道エネルギー÷電磁気1個のエネルギー＝1.233×10−41Jm÷(2.356×10−22J)＝5.233×10−20m
5.323MeVの輪の電磁気数＝5.323MeV÷電磁気1個のエネルギー＝5.323MeV×1.602×10−13J÷(2.356×10−22J)＝3.619×109個
輪の中の束数＝a4=6.7424=2.066×103束
1束の電磁気数＝1輪の電磁気数÷輪の中の束数＝3.619×109個÷(2.066×103束)＝1.752×106個
1束のエネルギー＝電磁気1個のエネルギー×1束の電磁気数＝2.356×10−22J×1.752×106個＝4.128×10−16J
輪のエネルギー＝輪の中の束数×1束のエネルギー＝2.066×103束×4.128×10−16J＝8.528×10−13J=5.324MeV
高エネルギー加速器における、電子の中の5.324MeVのクオークと見做される輪の状態。
表10
2017005856.tif 000012
高エネルギー加速器における、電子の中のクオークと見做される輪の状態のまとめ。
表11
2017005856.tif 000013
高エネルギー加速器に於いて、電子の中の輪は中心から、電子のラブの自転と公転→5.7MeVの輪の電磁気の回転→5.323MeVの輪の電磁気の回転→4.1MeVの輪の電磁気の回転の順に並んで回転している。
６．    高エネルギー加速器に於ける、中性子の陽子の中の輪の状態はどのようであるか。。
高エネルギー加速器に於ける、陽子の中の輪の状態との比較。
・電磁気のエネルギーは3873倍になる。
・電磁気の軌道は3873分の1になる。
・輪の中の束数は変わらない。
・電磁気の数は変わらない。
高エネルギー加速器に於ける、中性子の陽子の中の輪の状態
表12
2017005856.tif 000014
７．    高エネルギー加速器に於ける、中性子の電子の中の輪の状態はどのようであるか。
高エネルギー加速器に於ける、電子の中の輪の状態との比較。
・電磁気のエネルギーは3873倍になる。
・電磁気の軌道は3873分の1になる。
・輪の中の束数は変わらない。
・電磁気の数は変わらない。
高エネルギー加速器に於ける、中性子の電子の中の輪の状態
表13
2017005856.tif 000015
８．    地表における陽子の中はどのようであるか。
高エネルギー加速器で、クオークと見做される陽子のラブに引かれて回転している輪のエネルギーから、陽子の中はどのようになっているのかを考えます。
私は核磁子とボーア半径より、陽子のラブの性質を計算しました。しかしこのデータ−は誤りです。
陽子のラブは自転し磁気の光子を作り、公転し電気の光子を作ります。
陽子のラブはその磁気の光子と電気の光子を引きつけています。
高エネルギー加速器に於いて、そのエネルギーは3×108倍になり、3つの輪で、クオークとして観察されます。
地表における陽子の中は、高エネルギー加速器におけるエネルギーの3×108分の１です。
地表に於いて、陽子のラブはその3つの輪を引き付けています。
地表に於いて、1番外側の電磁気は1束で、核磁子です。
高エネルギー加速器における、陽子の中の輪の状態(高エネルギー加速器で、クオークと見做される陽子のラブに引かれて回転している輪のエネルギーから、陽子の中はどのようになっているのかを考えます)
表に示す。
表14
2017005856.tif 000016
陽子のラブは4.34×104自転で1公転する。4.34×104公転でできる電磁気を1束とする。
電磁気数が4.34×104個で1束とする。
輪の中の束数＝輪の電磁気数÷1束の電磁気数＝6.248×108個÷(4.34×104個)＝1.440×104束、です。
・輪の中の束数が1.440×104束である場合のaはいくらか。
輪の中の束数＝a4=1.440×104
a＝(1.440×104)1/4＝1.095×10
・a=10.95の場合の電磁気1個のエネルギーとその軌道はいくらか。
電磁気1個のエネルギーは、地表の電磁気1個のエネルギー×10.95＝1.167×10−31J×10.95＝1.278×10−30J、です。
この電磁気の軌道は、6.724×10−45Jm÷(1.278×10−30J)＝5.261×10−15m、です。
・核磁子の束数は１です。a=1の場合の電磁気1個のエネルギーとその軌道はいくらか。
電磁気1個のエネルギーは、1.167×10−31Jです。
この電磁気の軌道は、6.724×10−45Jm÷(1.167×10−31J)＝5.762×10−14m、です。
よって、核磁子の電磁気の軌道は5.762×10−14mで、そのエネルギーは1.167×10−31Jです。
この事を表に示す。
輪の中の束数＝a4=1.440×104。a=10.95の場合の電磁気1個のエネルギーとその軌道
核磁子の束数は１です。a=1の場合の電磁気1個のエネルギーとその軌道
表15
2017005856.tif 000017
地表の陽子の輪の状態。補正したもの。
表16
2017005856.tif 000018
地表の陽子の中は、陽子のラブの公転軌道→1.033×10−8MeVの輪→5.668×10−9MeVの輪→4.973×10−9MeVの輪→核磁子の輪の順に軌道を大きくする。
その軌道は電磁気の軌道です。
2.538×10−15m→4.629×10−15m→5.274×10−15m→5.762×10−14m、です。
陽子のラブの公転軌道は2.538×10−15mより小さい。
９．    地表における電子の中はどのようであるか。
高エネルギー加速器で、クオークと見做される電子のラブに引かれて回転している輪のエネルギーから、電子の中はどのようになっているのかを考えます。
私はボーア磁子とボーア半径より、電子のラブの性質を計算しました。しかしこのデータ−は誤りです。
電子のラブは自転し磁気の光子を作り、公転し電気の光子を作ります。
電子のラブはその磁気の光子と電気の光子を引きつけています。
高エネルギー加速器に於いて、そのエネルギーは3×108倍になり、3つの輪で、クオークとして観察されます。
地表における電子の中は、高エネルギー加速器におけるエネルギーの3×108分の１です。
地表に於いて、電子のラブはその3つの輪を引き付けています。
地表に於いて、1番外側の電磁気は1束で、ボーア磁子です。
地表における電子の中の状態(高エネルギー加速器で、クオークと見做される電子のラブに引かれて回転している輪のエネルギーから、電子の中はどのようになっているのかを考えます)
表17
2017005856.tif 000019
2017005856.tif 000020
ここで、問題になるのは、地表における、1束のエネルギーはボーア磁子の何倍のエネルギーかの表で、高エネルギーの軌道にある1束ほどエネルギーが小さいという事です。
この事は、地表に於いて、地表のエネルギーは小さいので、束数は同じであると考える。
ボーア磁子のエネルギーは1公転のエネルギーですから、ボーア磁子＝地表における、電磁気1個のエネルギー×電磁気の個数。
電磁気の個数＝ボーア磁子÷地表における、電磁気1個のエネルギー、を計算する。
電磁気の個数＝ボーア磁子÷地表における、電磁気1個のエネルギー＝9.274×10−24J÷(8.410×10−31J )＝1.103×107個
電磁気の個数＝ボーア磁子÷地表における、電磁気1個のエネルギー＝9.274×10−24J÷(7.853×10−31J)＝1.181×107個
電磁気の個数＝ボーア磁子÷地表における、電磁気1個のエネルギー＝9.274×10−24J÷(6.050×10−31J)＝1.533×107個
それで、1束の電磁気の個数を7.96×107個とする。
これは、電子のラブは1公転で7.96×107回自転し、1秒間に(7.96×107)3回自転し、(7.96×107)2回公転するからです。
(7.96×107)公転でできる電磁気が1束に成っていると考える。
各々の輪には1束が7.96×107個の電磁気である束が存在する。
輪の中の束数＝輪の電磁気数÷1束の電磁気数＝3.620×109個÷(7.96×107個)＝4.548×10束存在する。
輪の中の束数＝a4＝4.548×10
a＝(45.48)1/4=2.597
・a=2.597の場合の電磁気1個のエネルギーとその軌道はいくらか。
電磁気1個のエネルギーは、地表の電磁気1個のエネルギー×2.597＝1.167×10−31J×2.597＝3.031×10−31J、です。
この軌道＝1.233×10−41Jm÷(3.031×10−31J)＝4.068×10−11m。
a=2.597の場合の電磁気1個のエネルギーは3.031×10−31Jで、軌道は4.068×10−11mです。
・ボーア磁子の束数は１です。それで、a=1の場合の電磁気1個のエネルギーとその軌道はいくらか。
a=1の電磁気1個のエネルギーは1.167×10−31Jです。
この軌道＝1.233×10−41Jm÷(1.167×10−31J)＝1.057×10−10m、です。
よって、ボーア磁子の電磁気の軌道は1.057×10−10mです。そのエネルギーは1.167×10−31Jです。
この事を表に示す。
輪の中の束数＝a4＝4.548×10。a=2.597の場合の電磁気1個のエネルギーとその軌道.
ボーア磁子の束数は１です。それで、a=1の場合の電磁気1個のエネルギーとその軌道
表18
2017005856.tif 000021
地表の電子の中の状態。補正したもの。
表19
2017005856.tif 000022
地表の電子の中は、電子のラブの公転軌道→1.900×10−8MeVの輪 →1.775×10−8MeV の輪→1.367×10−8MeVの輪→ボーア磁子の輪の順に軌道を大きくする。
その軌道は電磁気の軌道です。
1.466×10−11m→1.570×10−11m→2.019×10−11m→1.057×10−10m、です。
電子のラブの公転軌道は1.466×10−11mより小さい。
【産業上の利用可能性】
【０００９】
素粒子を知ることは産業を向上させる。
【符号の説明】
【００１０】
１    陽子の外側の軌道の輪のエネルギーは、(1.2×102)2束×5.0508×10−27J×3×108×6.2415×1018eV=1.362×105eV=0.1362MeV。
２    3.1MeVの輪は１のa=3.1MeV÷0.1362MeV=22.76、倍のエネルギー。
３    電磁気1個のエネルギーは、地表の電磁気1個のエネルギー×a×3×108=地表の電磁気1個のエネルギー×22.76×3×108＝1.164×10−31J×22.76×3×108＝7.948×10−22J。
４    電磁気の軌道は、陽子の中の電気の光子の軌道エネルギー÷電磁気1個のエネルギー＝6.724×10−45Jm ÷(7.948×10−22J)＝8.460×10−24m。
５    3.1MeVの輪の電磁気数は、3.1MeV÷電磁気1個のエネルギー＝3.1MeV×1.602×10−13J÷(7.948×10−22J)＝6.248×108個。
６    輪の中の束数は、a4＝22.764＝2.683×105束。
７    1束の電磁気数は、1輪の電磁気数÷輪の中の束数＝6.248×108個÷(2.683×105束)＝2.329×103個。
８    1束のエネルギーは、電磁気1個のエネルギー×1束の電磁気数＝7.948×10−22J×2.329×103個＝1.851×10−18J。
９    輪のエネルギーは、輪の中の束数×1束のエネルギー＝2.683×105束×1.851×10−18J＝4.966×10−13J=3.1MeV。
１０    陽子の中の1.7MeVのクオークと見做される輪
１１    陽子の中の1.492MeVのクオークと見做される輪
１２    陽子の中の1.7MeVのクオークと見做される輪１０  の電磁気が回転する軌道１２  ＝陽子の中の電気の光子の軌道エネルギー÷電磁気1個のエネルギー＝6.724×10−45Jm ÷(4.358×10−22J)＝1.543×10−23m。
１３    陽子の中の1.492MeVのクオークと見做される輪１１  の電磁気が回転する軌道１３  ＝陽子の中の電気の光子の軌道エネルギー÷電磁気1個のエネルギー＝6.724×10−45Jm ÷(3.825×10−22J)＝1.758×10−23m。
１４    陽子のラブ
１５    陽子のラブの公転軌道
１６    最も外側の核磁子が放出する電磁気の軌道＝5.762×10−14m÷(3×108)＝1.921×10−22m。
【図１】
2017005856.tif 000043
【図２】
2017005856.tif 000044